(57)【要約】      （修正有）【課題】カバーの装着作業を省力的に行うことができ、しかも、クッションのふんわりとした柔軟性を損なうことなく良好な座り心地を実現でき、更に加えて、非常に斬新なデザインで型崩れも起こし難い意匠性に優れたカバーリングクッションの開襟風装飾構造を提供すること。【解決手段】詰め物を袋に充填して作製されたクッション本体１と；このクッション本体１を収容可能なサック部材であって、少なくとも一つの隅角部21が当該隅角部の屈曲角の二等分線方向に入れたスリットにより切り割られた角割れカバー材２とから構成される一方、このカバー材２の袋内に前記クッション本体１を収容させた状態において、カバー材２の隅角部21における両方の切割端部21a・21aを外側に対称的に折り返して、収容された前記クッション本体１の膨圧力により、前記カバー材２の裏面部23を緊張状態で安定的に開襟状に露出させた。【選択図】図４
2009247820.tif 000002
【特許請求の範囲】
【請求項１】
詰め物11を袋12に充填して作製されたクッション本体１と；このクッション本体１を収容可能なサック部材であって、少なくとも一つの隅角部21が当該隅角部の屈曲角の二等分線方向に入れたスリットＳにより切り割られた角割れカバー材２とから構成される一方、
このカバー材２の袋内に前記クッション本体１を収容させた状態において、カバー材２の隅角部21における両方の切割端部21a・21aを外側に対称的に折り返して、収容された前記クッション本体１の膨圧力により、前記カバー材２の裏面部23を緊張状態で安定的に開襟状に露出せしめたことを特徴とするカバーリングクッションの開襟風装飾構造。
【請求項２】
角割れカバー材２に表地と裏地とを張り合わせた二重生地を使用したことを特徴とする請求項１記載のカバーリングクッションの開襟風装飾構造。
【請求項３】
角割れカバー材２の折り返される裏面部23に表面部22とコントラストが顕著に異なる装飾生地を取り付けたことを特徴とする請求項１または２に記載のカバーリングクッションの開襟風装飾構造。
【請求項４】
クッション本体１における袋12の角部に伸縮性の高い素材を使用したことを特徴とする請求項１〜３の何れか一つに記載のカバーリングクッションの開襟風装飾構造。
【請求項５】
角割れカバー材２の裏面部23における開口縁部24の内側に収納ポケット25を付設したことを特徴とする請求項１〜４の何れか一つに記載のカバーリングクッションの開襟風装飾構造。
【発明の詳細な説明】
【技術分野】
【０００１】
本発明は、カバーリングクッションの装飾構造の改良、詳しくは、カバーの装着作業が省力的であって、クッションの柔軟性を損なうことなく良好な座り心地を実現でき、しかも、斬新なデザインで型崩れも起こし難い意匠性に優れたカバーリングクッションの開襟風装飾構造に関するものである。
【背景技術】
【０００２】
一般的に、クッションの使用時にはクッション本体を汚れや傷みなどから保護するためのカバー材を用いることが多く、その際使用するカバー材にはクッションの外観を引き立たせ得る装飾性も同時に求められる。
【０００３】
そして、このような装飾性を兼ね備えたカバー材としては、キルトや毛皮などの高級感のある厚手の生地を素材として使用することにより装飾性を高めたものが従来においてよく知られているが、このような厚手の生地は急速な通気性が低いことから、着座時に圧縮されたクッションから放出される空気がスムーズにカバーから逃げ難く、それによりクッションに期待される心地良い柔軟性が損なわれて座り心地に不満が聞かれた（例えば、特許文献１参照）。
【０００４】
また、カバーリングクッションにおいては、クッション本体に詰め物が充填された袋型のものを使用した場合に、着座で荷重が加わる部分から荷重のかからない周辺部に詰め物が押し出されて周辺部が膨張することで、カバー材が引き伸ばされてシワやヨレの原因となることがあった。
【０００５】
加えて、上記袋型のクッションを使用した場合、クッション自体の形態安定性が低いことから、カバー材を装着する際に布団と同じようにカバーの内側に手を入れて角合わせ作業を行わなければならず、非常に煩わしかった。
【０００６】
そこで、従来においては、カバー材の角部にスリットを設けることでこれらの問題を解消する工夫も為されていたが、＜特許文献２＞にあるようなカバー材の角縁に沿ってスリットを設けるだけの構造では、クッション本体を収容した際に意匠的に見苦しいだけでなく、詰め物が片寄ってクッションが膨張した際にスリットの近傍部位に負荷が集中してスリットを形成したカバー材の隅角部が型崩れし易くなるという問題があった。
【特許文献１】登録実用新案第３１２８８０９号公報（第２−６頁、第１−３図）
【特許文献２】実開平１−１５４８６３号公報（第２−６頁、第１−３図）
【発明の開示】
【発明が解決しようとする課題】
【０００７】
本発明は、上記の如き問題に鑑みて為されたものであり、その目的とするところは、カバーの装着作業を省力的に行うことができ、しかも、クッションのふんわりとした柔軟性を損なうことなく良好な座り心地を実現でき、更に加えて、非常に斬新なデザインで型崩れも起こし難い意匠性に優れたカバーリングクッションの開襟風装飾構造を提供することにある。
【課題を解決するための手段】
【０００８】
本発明者が上記課題を解決するために採用した手段を添付図面を参照して説明すれば次のとおりである。
【０００９】
即ち、本発明は、詰め物11を袋12に充填して作製されたクッション本体１と；このクッション本体１を収容可能なサック部材であって、少なくとも一つの隅角部21が当該隅角部の屈曲角の二等分線方向に入れたスリットＳにより切り割られた角割れカバー材２とから構成される一方、
このカバー材２の袋内に前記クッション本体１を収容させた状態において、カバー材２の隅角部21における両方の切割端部21a・21aを外側に対称的に折り返して、収容された前記クッション本体１の膨圧力により、前記カバー材２の裏面部23を緊張状態で安定的に開襟状に露出せしめた点に特徴がある。
【００１０】
また、本発明は、上記課題を解決するために、必要に応じて上記手段に加え、角割れカバー材２に表地と裏地とを張り合わせた二重生地を使用するという技術的手段を採用することができる。
【００１１】
また、本発明は、上記課題を解決するために、必要に応じて上記手段に加え、角割れカバー材２の折り返される裏面部23に表面部22とコントラストが顕著に異なる装飾生地を取り付けるという技術的手段を採用することができる。
【００１２】
また、本発明は、上記課題を解決するために、必要に応じて上記手段に加え、クッション本体１における袋12の角部に伸縮性の高い素材を使用するという技術的手段を採用することができる。
【００１３】
また、本発明は、上記課題を解決するために、必要に応じて上記手段に加え、角割れカバー材２の裏面部23における開口縁部25の内側に収納ポケット26を付設するという技術的手段を採用することができる。
【発明の効果】
【００１４】
本発明においては、クッション本体を、その少なくとも一つの隅角部が二等分線方向のスリットで切り割られたカバー材に収容するとともに、このカバー材におけるスリットが形成された隅角部の両方の切割端部を外側に対称的に折り返して構成したことにより、収容されたクッション本体の膨圧力によってカバー裏地を緊張状態で安定して開襟状に露出させることができ、これによって、カバー材の表面と折り返し部分の裏面、そして開口部から露出したクッション本体の表張材とが印象的なコントラストを形成する斬新な意匠効果を得ることが可能となる。
【００１５】
しかも、カバー材の隅角部において切割端部を折り返して大きな開口部を作出したことにより、開口部から露出したクッションの角部に押し出される詰め物を逃がすことができるだけでなく、折返しによりカバー材の開口縁部を二重として引き伸ばし強度を向上できるため、詰め物が片寄ってクッションの角部が膨張しても、カバー材の隅角部が型崩れを起こし難くなる。
【００１６】
なお上記の際、カバー材の切割端部は対称的に折り返されているため、クッション角部の膨張による負荷が開口縁部の一方側の折返し部分に集中してしまうことはなく、両方の折返し部分に均等に分散される。
【００１７】
また、カバー材に通気性の悪い生地を使用した場合であってもカバー材の隅角部に形成した開口部からスムーズに空気の放出を行うことができるため、クッションのふんわりと沈み込む柔軟な感触は損なわれず快適な座り心地を実現できる。
【００１８】
そしてまた、クッション本体へのカバー材の装着作業に関しても、隅角部のスリットから手を差込んでクッション本体の角部を摘み出すことにより簡単に角合わせすることができるため、装着作業の省力化も図れる。
【００１９】
したがって、本発明により、デザインが非常に独創的で、かつ、機能性及び使用性にも優れたカバーリングクッションを提供できることから、本発明の実用的利用価値は頗る高い。
【発明を実施するための最良の形態】
【００２０】
『実施例１』
本発明の実施例１は、図１から図５に示される。同図において、符号１で指示するものはクッション本体であり、符号２で指示するものは、角割れカバー材である。符号３で指示するものは、ソファである。
【００２１】
次に、実施例１の構成を以下から説明する。まず実施例１においては、クッション本体１を、詰め物11を袋12に充填して作製すると共に、このクッション本体１を、サック状に作製され、かつ、所定の隅角部21・21がその偶角部21の屈曲角の二等分線方向に形成されたスリットＳにより切り割られた角割れカバー材２に収容している（図１、図２参照）。
【００２２】
また、角割れカバー材２には表面部22と裏面部23に装飾面を有するものを使用するとともに、カバー材２にはファスナー部材24を付設してクッション本体１を自由に出し入れできるようにしている。
【００２３】
そして、クッション本体１を角割れカバー材２に収容した状態で、図３に示すようにカバー材２の隅角部21における両方の切割端部21a・21aを外側に対称的に折り返すことによって、図４に示すようにカバー裏地23を開襟状に露出させることができ、これにより、カバー材の表面部22及び裏面部23、クッション本体の表張材とによるコントラストが印象的な装飾面を形成することができる。
【００２４】
なお、角割れカバー材２の折り返された切割端部21a・21aは、収容されたクッション本体１の膨圧力によって緊張状態で安定的に露出した状態を維持することができる。
【００２５】
また、角割れカバー材２の折り返される裏面部23に表面部22とコントラストが顕著に異なる装飾生地を使用すれば、カバー材２の切割端部21a・21aの折返し形状と三種類の装飾生地の組み合わせによりデザインのバリエーションも多様化できる。
【００２６】
また実施例１では、角割れカバー材２の隅角部21の開口部Ｒから露出するクッション本体１の両端部分にのみに装飾生地を使用することにより、クッション本体１の中央部分には吸放湿性に優れた通気性の高い生地を使用して、クッション本体１の機能性を維持している。
【００２７】
また、角割れカバー材２に、装飾面を有する表地と裏地とを張り合わせた二重生地を使用することによりリバーシブル構造とすることもでき、またこの際には、角割れカバー材２が二重となって強度も向上するため、裏面に補強用の樹脂コーティング(通称「バッキング」)を施す必要がなくなり、樹脂コーティング層の摩擦抵抗によってクッション本体１をカバー材２の中に収容し難くなることもない。
【００２８】
一方、角割れカバー材２の隅角部21において切割端部21a・21aを折り返すことによって大きな開口部Ｒを作出したことにより、開口部Ｒから露出したクッション本体１の角部に押し出された詰め物11を逃がすことが可能となり、これによってカバー材２のシワやヨレの原因となるクッション本体１の膨圧力による負荷を低減することができるため、カバー材の型崩れを抑制することができる。
【００２９】
なお、クッション本体１の角部に膨張し易い伸縮性の高い素材を使用すれば、角割れカバー材２にかかる負荷をより低減することができる。
【００３０】
また、角割れカバー材２の開口縁部25は、折返しにより二重となって引き伸ばし強度が増すため、詰め物11が片寄ってクッション本体１の角部が膨張しても、カバー材２の隅角部21は型崩れを起こし難くなる。
【００３１】
なお実施例１では、クッション本体１の詰め物11として袋12内部で流動性を有する粒状の発泡樹脂材を使用しているが、この詰め物11としては流動性を有するゲルやガス等を使用することもでき、また、袋12内での顕著な流動性を有しなくとも繰り返し荷重を受けることで次第にクッション端部に片寄っていくような綿材や羽毛材等を詰め物11として使用する場合にも、同様の効果を得ることができる。
【００３２】
他方、角割れカバー材２に通気性の低い生地を使用した場合であっても、カバー材２の開口部Ｒから空気の放出をスムーズに行えるため、クッション本体１のふんわりとした柔軟な感触は損なわれず、良好な座り心地を実現できる。
【００３３】
また、角割れカバー材２に設けた開口部Ｒは、放熱及び放湿機能も有するため着座中にムレも生じ難くくなり、クッション本体１を、ソファ３の座部31や背凭れ部32として使用すれば、快適な掛け心地のソファ３を作製することができる（図５参照）。
【００３４】
なお、クッション本体１に対する角割れカバー材２の装着に関しても、隅角部21のスリットＳから手を差込んでクッション本体１の角部を摘み出すだけで角合わせすることができるため、装着作業は非常に簡単なものとなる。
【００３５】
『実施例２』
次に、本発明の実施例２を図６に基づいて説明する。この実施例２では、角割れカバー材２の裏面部23における開口縁部25の内側に収納ポケット26を付設しており、これにより開口部Ｒから手を差込めば前記収納ポケット26に小物Ａ等を出し入れすることができるため、カバーリングクッションを便利な収納として使用することができる（図６参照）。
【００３６】
『実施例３』
次に、本発明の実施例３を図７及び図８に基づいて説明する。この実施例３では、クッション本体１に対して角割れカバー材２を二枚重ねて装着しており、これより両方のカバー材２・２’の切割端部21a・21a’を折り返した際、内側のカバー材２の裏面部23と外側のカバー材２’の裏面部23’とが重なって見えるため、伊達襟風の意匠効果を奏することができる（図７参照）。
【００３７】
なお、上記伊達襟風の意匠効果は、図９に示すように角割れカバー材２の切割端部21aに折返し時の立ち戻りを生じ難くする裏打ち材27を取着することによっても得ることができる。
【００３８】
本発明は、概ね上記のように構成されるが、本発明は図示の実施形態に限定されるものでは決してなく、「特許請求の範囲」の記載内において種々の変更が可能であって、例えば、クッション本体１及び角割れカバー材２の形状は、直角の角部を有する四角形状のものに限らず図９(a)に示すような鋭角の角部を有する三角状や星型状であってもよく、また、図９(b)に示すような鈍角の角部を有する多角形状であってもよい。
【００３９】
また、クッション本体１及び角割れカバー材２の生地には、布地だけでなく毛皮や人工皮革、樹脂シートなど適宜選択することができ、何れのものも本発明の技術的範囲に属する。
【産業上の利用可能性】
【００４０】
近年では、嗜好の多様化によって、様々な形態のクッションが販売されており、特にソファに使用されるクッションにおいては、独創的なソファデザインを実現できる意匠性に優れたものが求められる。また、ソファに使用する場合には掛け心地を損なわないことも重要なポイントとなる。
【００４１】
そのような中で、本発明のカバーリングクッションの開襟風装飾構造は、独創的で斬新なソファデザインを形成できるだけでなく、ソファの機能性の点にも考慮して為された有用な技術であることから、市場における需要は大きく、その産業上の利用価値は非常に高い。
【図面の簡単な説明】
【００４２】
【図１】本発明の実施例１におけるカバーリングクッションを表わす全体斜視図である。
【図２】本発明の実施例１におけるクッション本体及びカバー材を表わす分解説明図である。
【図３】本発明の実施例１におけるカバー材の隅角部の折返し構造を表わす状態説明図である。
【図４】本発明の実施例１におけるカバーリングクッションを表わす全体斜視図である。
【図５】本発明の実施例１におけるカバーリングクッションを使用したソファを表わす全体斜視図である。
【図６】本発明の実施例２におけるカバー材の収納ポケットを表わす部分断面図である。
【図７】本発明の実施例３におけるカバーリングクッションの装飾構造を表わす拡大前面図である。
【図８】本発明の実施例３におけるカバーリングクッションの装飾構造の変形例を表わす拡大前面図である。
【図９】本発明の変形例におけるクッション体及びカバー材の角部形状を表わす拡大前面図である。
【符号の説明】
【００４３】
１  クッション本体
11  詰め物
12  袋
２  角割れカバー材
21  隅角部
21a  切割端部
22  表面部
23  裏面部
24  ファスナー部材
25  開口縁部
26  収納ポケット
27  裏打ち材
３  ソファ
31  座部
32  背凭れ部
Ｓ  スリット
Ｒ  開口部
Ａ  小物
【図１】
2009247820.tif 000003
【図２】
2009247820.tif 000004
【図３】
2009247820.tif 000005
【図４】
2009247820.tif 000006
【図５】
2009247820.tif 000007
【図６】
2009247820.tif 000008
【図７】
2009247820.tif 000009
【図８】
2009247820.tif 000010
【図９】
2009247820.tif 000011